(57)【特許請求の範囲】
【請求項１】
車両に搭載された電池（１１）に対して前記車両外から接続ケーブル（２０）を介して充電を行うための給電側システム（２、３）と、
前記車両に搭載され、前記給電側システム（２、３）から前記電池（１１）への充電条件設定を管理する充電条件設定管理装置（１７）と、を備えた車両プラグイン充電システムであって、
前記充電条件設定管理装置（１７）は、
前記接続ケーブル（２０）を介して前記給電側システム（２、３）に前記車両が接続されていないとき、前記車両内で乗員が入力した充電条件設定を取得して記憶部（１７ｂ）に記録する充電条件設定記録手段（１３０、１４０）と、
前記接続ケーブル（２０）を介して前記給電側システム（２、３）に前記車両が接続されたことを検出したとき、その検出前に前記充電条件設定記録手段（１３０、１４０）によって前記記憶部（１７ｂ）に記録された前記充電条件設定を、前記接続ケーブル（２０）を介して前記給電側システム（２、３）に送信する充電条件設定送信手段（１６０、１７０）と、を備え、
前記給電側システム（２、３）は、前記充電条件設定管理装置（１７）から前記充電条件設定を受信した後、前記充電条件設定に基づいて、前記車両の電池（１１）への充電スケジュールを作成し、作成した前記充電スケジュールに従って、前記電池（１１）への充電を、前記接続ケーブル（２０）を介して行ない、
前記車両内で乗員が入力して前記充電条件設定記録手段（１３０、１４０）が取得する前記充電条件設定は、電力の料金が所定の料金よりも低い時間帯を選んで充電を行うためのコスト優先か、電力の料金が前記所定の料金よりも高い時間帯も低い時間帯も選んで前記コスト優先の場合の場合よりも早く充電を完了させるための時間優先か、の選択のみであることを特徴とする車両プラグイン充電システム。
【請求項２】
前記充電条件設定送信手段（１６０、１７０）は、前記充電条件設定記録手段（１３０、１４０）によって前記記憶部（１７ｂ）に記録された前記充電条件設定のうち、前記給電側システム（２、３）に要求する必要電力量を、前記電池（１１）の充電効率情報及び車両固有の充電効率に基づいて修正し、修正後の必要電力量を前記接続ケーブル（２０）を介して前記給電側システム（２、３）に送信することを特徴とする請求項１に記載の車両プラグイン充電システム。
【請求項３】
前記給電側システム（２、３）は、電力の供給可能量と料金の時間推移の情報、および、前記充電条件設定管理装置（１７）から受けた前記充電条件設定に基づいて、前記車両の電池（１１）への充電スケジュールを作成し、作成した前記充電スケジュールに従って充電を行うことを特徴とする請求項１または２に記載の車両プラグイン充電システム。
【請求項４】
前記給電側システム（２、３）は、前記接続ケーブル（２０）が接続される充電器（２）および前記充電器（２）と通信可能なサーバ（３）とを備え、
前記充電器（２）は、前記サーバ（３）と通信して前記電力の供給可能量と料金の時間推移の情報を繰り返し受信することで、前記電力の供給可能量と料金の時間推移の情報を繰り返し更新し、更新された前記電力の供給可能量と料金の時間推移の情報に基づいて、前記車両の電池（１１）への充電スケジュールを作成し、作成した前記充電スケジュールに従って充電を行うことを特徴とする請求項３に記載の車両プラグイン充電システム。
【請求項５】
前記充電器（２）は、作成した前記充電スケジュールが前記充電条件設定を満たす場合、作成した前記充電スケジュールに従って充電を行うことを特徴とする請求項３または４に記載の車両プラグイン充電システム。
【請求項６】
前記充電条件設定送信手段（１６０、１７０）は、前記接続ケーブル（２０）を介して前記給電側システム（２、３）に前記車両が接続されたことに基づいて、前記充電条件設定記録手段（１３０、１４０）によって前記記憶部（１７ｂ）に記録された前記コスト優先か時間優先かの選択を、前記充電条件設定として、前記接続ケーブル（２０）を介して前記給電側システム（２、３）に送信し、
前記給電側システム（２、３）は、電力の供給可能量と料金の時間推移の情報、および、前記充電条件設定管理装置（１７）から受けた前記コスト優先か時間優先かの選択に基づいて、コスト優先の場合は、電力の料金が所定の料金よりも低い時間帯を選んで充電を行う充電スケジュールを作成し、時間優先の場合は、電力の料金が前記所定の料金よりも高い時間帯も低い時間帯も選んで、コスト優先の場合の場合よりも早く充電が完了するよう、充電スケジュールを作成することを特徴とする請求項３ないし５のいずれか１つに記載の車両プラグイン充電システム。
【請求項７】
前記給電側システム（２、３）は、前記充電条件設定管理装置（１７）から受けた前記充電条件設定に応じて充電スケジュールを作成し、作成した前記充電スケジュールが前記充電条件設定を満たさないことに基づいて、前記車両を降りた乗員に警告報知を行うことを特徴とする請求項１ないし６のいずれか１つに記載の車両プラグイン充電システム。
【請求項８】
前記給電側システム（２、３）は、前記警告報知を行った後、充電条件設定の変更の操作を受け付け、受け付けた変更の操作に従って、前記充電条件設定管理装置（１７）から受けた前記充電条件設定を変更し、変更後の前記充電条件設定に基づいて前記車両の前記電池（１１）への充電スケジュールを再作成することを特徴とする請求項７に記載の車両プラグイン充電システム。
【請求項９】
前記充電条件設定管理装置（１７）は、前記充電条件設定送信手段（１６０、１７０）が前記充電条件設定を前記給電側システム（２、３）に送信した後、前記記憶部（１７ｂ）に記録されている前記充電条件設定を消去する消去手段（１８０）を有することを特徴とする請求項１ないし８のいずれか１つに記載の車両プラグイン充電システム。
【請求項１０】
充電条件設定記録手段（１３０、１４０）は、前記接続ケーブル（２０）を介して前記給電側システム（２、３）に前記車両が接続されていないとき、前記充電条件設定として、充電に対する前記乗員の要求を表す充電条件設定を、取得して記憶部（１７ｂ）に記録することを特徴とする請求項１ないし９のいずれか１つに記載の車両プラグイン充電システム。
【請求項１１】
前記乗員の要求を表す充電条件設定は、前記車両内で前記乗員が入力した充電完了の目標日時、必要電力量、最大コスト、および充電における優先事項のうち少なくとも１つを含むことを特徴とする請求項１０に記載の車両プラグイン充電システム。
【請求項１２】
前記充電条件設定記録手段（１３０、１４０）は、前記電池（１１）の残量に基づいて、必要電力量を算出し、前記必要電力量を前記記憶部（１７ｂ）に記録することを特徴とする請求項１ないし１１のいずれか１つに記載の車両プラグイン充電システム。
【請求項１３】
車両の外部の充電器（２）から接続ケーブル（２０）を介して電力供給を受けて電池（１１）に充電可能な車両に搭載され、前記充電器（２）から前記電池（１１）への充電条件設定を管理する充電条件設定管理装置（１７）であって、
前記接続ケーブル（２０）を介して前記充電器（２）に前記車両が接続されていないとき、前記車両内で乗員が入力した充電条件設定を取得して記憶部（１７ｂ）に記録する充電条件設定記録手段（１３０、１４０）と、
前記接続ケーブル（２０）を介して前記充電器（２）に前記車両が接続されたことを検出したとき、その検出前に前記充電条件設定記録手段（１３０、１４０）によって前記記憶部（１７ｂ）に記録された前記充電条件設定を、前記接続ケーブル（２０）を介して前記充電器（２）に送信することで、前記充電条件設定の送信後に、前記充電条件設定に基づいた前記車両の電池（１１）への充電スケジュールを前記充電器（２）に作成させ、作成された前記充電スケジュールに従った前記電池（１１）への充電を前記充電器（２）に行わせる充電条件設定送信手段（１７０）と、を備え、
前記車両内で乗員が入力して前記充電条件設定記録手段（１３０、１４０）が取得する前記充電条件設定は、電力の料金が所定の料金よりも低い時間帯を選んで充電を行うためのコスト優先か、電力の料金が前記所定の料金よりも高い時間帯も低い時間帯も選んで前記コスト優先の場合の場合よりも早く充電を完了させるための時間優先か、の選択のみであることを特徴とする充電条件設定管理装置。
【発明の詳細な説明】
【技術分野】
【０００１】
本発明は、車両プラグイン充電システムおよび充電条件設定管理装置に関するものである。
【背景技術】
【０００２】
従来、充電器に車両を接続し、充電器から車両の二次電池に電力を供給する技術（プラグイン充電）が知られている。またこのプラグイン充電の際、充電器と車両が接続ケーブルを介して通信を行う技術も知られている（例えば、特許文献１参照）。
【先行技術文献】
【特許文献】
【０００３】
【特許文献１】特開２００７−２３０５２０号公報
【発明の概要】
【発明が解決しようとする課題】
【０００４】
接続ケーブルを介した充電器と車両の通信として、本発明者は、乗員（例えばドライバー）が車両内で入力した充電に関する条件設定（例えば、充電量）を、この接続ケーブルを介して充電器に伝送することを着想し、この着想の手順について検討した。
【０００５】
その検討の結果、乗員が車両を一旦降りて接続ケーブルを繋げた後、再度車両に乗り込んで条件設定を入力するのでは、乗員にとって煩わしいという問題点に気付いた。
【０００６】
本発明は上記問題点に鑑み、プラグイン充電において、乗員が車両内で入力した充電に関する条件設定を、接続ケーブルを介して充電器から車両に送信する際、乗員による車両乗降の煩雑さを低減することを目的とする。
【課題を解決するための手段】
【０００７】
上記目的を達成するための請求項１に記載の発明は、車両に搭載された電池（１１）に対して前記車両外から接続ケーブル（２０）を介して充電を行うための給電側システム（２、３）と、前記車両に搭載され、前記給電側システム（２、３）から前記電池（１１）への充電条件設定を管理する充電条件設定管理装置（１７）と、を備えた車両プラグイン充電システムであって、前記充電条件設定管理装置（１７）は、前記接続ケーブル（２０）を介して前記給電側システム（２、３）に前記車両が接続されていないとき、前記車両内で乗員が入力した充電条件設定を取得して記憶部（１７ｂ）に記録する充電条件設定記録手段（１３０、１４０）と、前記接続ケーブル（２０）を介して前記給電側システム（２、３）に前記車両が接続されたことを検出したとき、その検出前に前記充電条件設定記録手段（１３０、１４０）によって前記記憶部（１７ｂ）に記録された前記充電条件設定を、前記接続ケーブル（２０）を介して前記給電側システム（２、３）に送信する充電条件設定送信手段（１６０、１７０）と、を備え、前記給電側システム（２、３）は、前記充電条件設定管理装置（１７）から前記充電条件設定を受信した後、前記充電条件設定に基づいて、前記車両の電池（１１）への充電スケジュールを作成し、作成した前記充電スケジュールに従って、前記電池（１１）への充電を、前記接続ケーブル（２０）を介して行ない、前記車両内で乗員が入力して前記充電条件設定記録手段（１３０、１４０）が取得する前記充電条件設定は、電力の料金が所定の料金よりも低い時間帯を選んで充電を行うためのコスト優先か、電力の料金が前記所定の料金よりも高い時間帯も低い時間帯も選んで前記コスト優先の場合の場合よりも早く充電を完了させるための時間優先か、の選択のみであることを特徴とする車両プラグイン充電システムである。
【０００８】
このようになっていることで、車両の乗員が充電条件設定を入力すると、その設定は、一旦車両の記憶部（１７ｂ）に保持される。その後、乗員が車両を降り充電システム（２、３）と車両を接続ケーブル（２０）で接続すると、保持されている充電条件設定が接続ケーブル（２０）を介して充電システム（２、３）に送出される。これにより、充電システム（２、３）は、この充電条件設定に応じた充電を電池（１１）に行うことができる。そして、乗員は、車両と充電システム（２、３）を接続ケーブル（２０）で接続するために一旦車両を出た後は、充電条件設定を入力するために再び車両に戻る必要がないので、乗員の利便性が向上する。
【０００９】
また、請求項２に記載の発明は、請求項１に記載の車両プラグイン充電システムにおいて、前記充電条件設定送信手段（１６０、１７０）は、前記充電条件設定記録手段（１３０、１４０）によって前記記憶部（１７ｂ）に記録された前記充電条件設定のうち、前記給電側システム（２、３）に要求する必要電力量を、前記電池（１１）の充電効率情報及び車両固有の充電効率に基づいて修正し、修正後の必要電力量を前記接続ケーブル（２０）を介して前記給電側システム（２、３）に送信することを特徴とする。
【００１０】
このようにすることで、電池（１１）の充電効率及び車両固有の充電効率に応じて、前記給電側システム（２、３）に送信する必要電力量を修正することができる。
【００１１】
また、請求項３に記載の発明は、請求項１または２に記載の車両プラグイン充電システムにおいて、前記給電側システム（２、３）は、電力の供給可能量と料金の時間推移の情報、および、前記充電条件設定管理装置（１７）から受けた前記充電条件設定に基づいて、前記車両の電池（１１）への充電スケジュールを作成し、作成した前記充電スケジュールに従って充電を行うことを特徴とする。このようにすることで、電力の供給可能量と料金の時間推移に応じた柔軟なスケジュールで充電を行うことができる。
【００１２】
また、請求項４に記載の発明は、請求項３に記載の車両プラグイン充電システムにおいて、前記給電側システム（２、３）は、前記接続ケーブル（２０）が接続される充電器（２）および前記充電器（２）と通信可能なサーバ（３）とを備え、前記充電器（２）は、前記サーバ（３）と通信して前記電力の供給可能量と料金の時間推移の情報を繰り返し受信することで、前記電力の供給可能量と料金の時間推移の情報を繰り返し更新し、更新された前記電力の供給可能量と料金の時間推移の情報に基づいて、前記車両の電池（１１）への充電スケジュールを作成し、作成した前記充電スケジュールに従って充電を行うことを特徴とする。
【００１３】
このように、接続ケーブル（２０）が接続される充電器（２）が、サーバ（３）から電力の供給可能量と料金を取得するようになっていることで、電力供給側が供給可能量と料金の時間推移の情報を更新するために充電器（２）のある位置まで行って供給可能量と料金をいちいち設定しなおす必要がなくなる。
【００１４】
また、請求項５に記載の発明は、請求項３または４に記載の車両プラグイン充電システムにおいて、前記充電器（２）は、作成した前記充電スケジュールが前記充電条件設定を満たす場合、作成した前記充電スケジュールに従って充電を行うことを特徴とする。
また、請求項６に記載の発明は、請求項３ないし５のいずれか１つに記載の車両プラグイン充電システムにおいて、前記充電条件設定送信手段（１６０、１７０）は、前記接続ケーブル（２０）を介して前記給電側システム（２、３）に前記車両が接続されたことに基づいて、前記充電条件設定記録手段（１３０、１４０）によって前記記憶部（１７ｂ）に記録された前記コスト優先か時間優先かの選択を、前記充電条件設定として、前記接続ケーブル（２０）を介して前記給電側システム（２、３）に送信し、前記給電側システム（２、３）は、電力の供給可能量と料金の時間推移の情報、および、前記充電条件設定管理装置（１７）から受けた前記コスト優先か時間優先かの選択に基づいて、コスト優先の場合は、電力の料金が所定の料金よりも低い時間帯を選んで充電を行う充電スケジュールを作成し、時間優先の場合は、電力の料金が前記所定の料金よりも高い時間帯も低い時間帯も選んで、コスト優先の場合の場合よりも早く充電が完了するよう、充電スケジュールを作成することを特徴とする。このように、車両の乗員は、コスト優先か時間優先かの簡単な選択を行うことで、自分の要求に応じた充電を受けることができる。
【００１５】
また、請求項７に記載の発明は、請求項１ないし６のいずれか１つに記載の車両プラグイン充電システムにおいて前記給電側システム（２、３）は、前記充電条件設定管理装置（１７）から受けた前記充電条件設定に応じて充電スケジュールを作成し、作成した前記充電スケジュールが前記充電条件設定を満たさないことに基づいて、前記車両を降りた乗員に警告報知を行うことを特徴とする。
【００１６】
本発明では、車両側から給電側システム（２、３）まで充電条件設定が送信されるのは、乗員が車両から降りて接続ケーブル（２０）で車両と給電側システム（２、３）を接続した後である。したがって、作成した前記充電スケジュールが充電条件設定の一部または全部を満たさない場合は、上記のように、車内で警告報知を行うよりも、車外の給電側システム（２、３）で報知を行う方が、乗員に伝わり易い。
【００１７】
また、請求項８に記載の発明は、請求項７に記載の車両プラグイン充電システムにおいて、前記給電側システム（２、３）は、前記警告報知を行った後、充電条件設定の変更の操作を受け付け、受け付けた変更の操作に従って、前記充電条件設定管理装置（１７）から受けた前記充電条件設定を変更し、変更後の前記充電条件設定に基づいて前記車両の前記電池（１１）への充電スケジュールを再作成することを特徴とする。このようになっていることで、乗員は、わざわざ車内に戻ることなく、給電側システム（２、３）によって満たされない充電条件設定を変更することができる。
【００１８】
また、請求項９に記載の発明は、請求項１ないし８のいずれか１つに記載の車両プラグイン充電システムにおいて、前記充電条件設定管理装置（１７）は、前記充電条件設定送信手段（１６０、１７０）が前記充電条件設定を前記給電側システム（２、３）に送信した後、前記記憶部（１７ｂ）に記録されている前記充電条件設定を消去する消去手段（１８０）を有することを特徴とする。
また、請求項１０に記載の発明は、請求項１ないし９のいずれか１つに記載の車両プラグイン充電システムにおいて、充電条件設定記録手段（１３０、１４０）は、前記接続ケーブル（２０）を介して前記給電側システム（２、３）に前記車両が接続されていないとき、前記充電条件設定として、充電に対する前記乗員の要求を表す充電条件設定を、取得して記憶部（１７ｂ）に記録することを特徴とする。
また、請求項１１に記載の発明は、請求項１０に記載の車両プラグイン充電システムにおいて、前記乗員の要求を表す充電条件設定は、前記車両内で前記乗員が入力した充電完了の目標日時、必要電力量、最大コスト、および充電における優先事項のうち少なくとも１つを含むことを特徴とする。
また、請求項１２に記載の発明は、請求項１ないし１１のいずれか１つに記載の車両プラグイン充電システムにおいて、前記充電条件設定記録手段（１３０、１４０）は、前記電池（１１）の残量に基づいて、必要電力量を算出し、前記必要電力量を前記記憶部（１７ｂ）に記録することを特徴とする。
また、請求項１３に記載の発明は、車両の外部の充電器（２）から接続ケーブル（２０）を介して電力供給を受けて電池（１１）に充電可能な車両に搭載され、前記充電器（２）から前記電池（１１）への充電条件設定を管理する充電条件設定管理装置（１７）であって、前記接続ケーブル（２０）を介して前記充電器（２）に前記車両が接続されていないとき、前記車両内で乗員が入力した充電条件設定を取得して記憶部（１７ｂ）に記録する充電条件設定記録手段（１３０、１４０）と、前記接続ケーブル（２０）を介して前記充電器（２）に前記車両が接続されたことを検出したとき、その検出前に前記充電条件設定記録手段（１３０、１４０）によって前記記憶部（１７ｂ）に記録された前記充電条件設定を、前記接続ケーブル（２０）を介して前記充電器（２）に送信することで、前記充電条件設定の送信後に、前記充電条件設定に基づいた前記車両の電池（１１）への充電スケジュールを前記充電器（２）に作成させ、作成された前記充電スケジュールに従った前記電池（１１）への充電を前記充電器（２）に行わせる充電条件設定送信手段（１７０）と、を備え、前記車両内で乗員が入力して前記充電条件設定記録手段（１３０、１４０）が取得する前記充電条件設定は、電力の料金が所定の料金よりも低い時間帯を選んで充電を行うためのコスト優先か、電力の料金が前記所定の料金よりも高い時間帯も低い時間帯も選んで前記コスト優先の場合の場合よりも早く充電を完了させるための時間優先か、の選択のみであることを特徴とする充電条件設定管理装置である。
【００１９】
このようになっていることで、車両の乗員が充電条件設定を入力すると、その設定は、一旦車両の記憶部（１７ｂ）に保持される。その後、乗員が車両を降り充電器（２）と車両を接続ケーブル（２０）で接続すると、保持されている充電条件設定が接続ケーブル（２０）を介して充電器（２）に送出される。これにより、充電器（２）は、この充電条件設定に応じた充電を電池（１１）に行うことができる。そして、乗員は、車両と充電器（２）を接続ケーブル（２０）で接続するために一旦車両を出た後は、充電条件設定を入力するために再び車両に戻る必要がないので、乗員の利便性が向上する。
【００２０】
なお、上記および特許請求の範囲における括弧内の符号は、特許請求の範囲に記載された用語と後述の実施形態に記載される当該用語を例示する具体物等との対応関係を示すものである。
【図面の簡単な説明】
【００２１】
【図１】本発明の実施形態に係る車両プラグイン充電システムの構成図である。
【図２】充電条件設定管理装置の制御部が実行する処理のフローチャートである。
【図３】車両側および充電器の作動の手順を示すシーケンスズである。
【図４】供給電力テーブルの一例を示す図である。
【図５】コストテーブルの一例を示す図である。
【図６】受付画面の一例を示す図である。
【図７】スケジューリングテーブルの一例を示す図である。
【図８】充電器の表示・操作部における表示例である。
【図９】受付画面の一例を示す図である。
【図１０】スケジューリングテーブルの一例を示す図である。
【図１１】充電器の表示・操作部における表示例である。
【図１２】受付画面の一例を示す図である。
【図１３】スケジューリングテーブルの一例を示す図である。
【図１４】充電器の表示・操作部における表示例である。
【発明を実施するための形態】
【００２２】
以下、本発明の一実施形態について説明する。図１に、本実施形態に係る車両プラグイン充電システムの構成について説明する。図１に示すように、本実施形態の車両プラグイン充電システムは、車載システム１、充電器２、およびサーバ３を備えている。
【００２３】
車両に搭載される車載システム１は、充電可能な電池１１を備えている。車両の外部（例えば、駐車場）に設置された充電器２は、接続ケーブル２０で車両と充電器２が接続されたとき、この接続ケーブル２０中の電力線２０ａを介して電池１１に充電を行う。サーバ３は、通信ネットワーク（例えば、インターネット等の広域ネットワーク）を介して充電器２（および充電器２と同等の機能を有する複数の他の充電器）と通信し、充電器２（および複数の他の充電器）に、電力の供給可能量と料金の時間推移の情報を送信するようになっている。充電器２およびサーバ３は、給電側システムを構成する。
【００２４】
本実施形態では、車両の乗員が車載システム１に対して充電条件設定を入力し、その乗員が車両を降りて接続ケーブル２０で充電器２と車両を接続したとき、接続ケーブル２０内の通信線２０ｂを介して車載システム１から充電器２に充電条件設定（車両の乗員が入力する）が送信され、充電器２は、この充電条件設定およびサーバ３から受信した電力の供給可能量と料金の時間推移の情報に基づいて、電池１１への充電のスケジュールを作成し、作成したスケジュールに従って通信ケーブル２０の電力線２０ａを通じて充電を行う。
【００２５】
まず、車載システム１の構成の詳細について説明する。車載システム１は、車両に搭載されたシステムであり、上述の電池１１に加え、充電回路１２、充電制御部１３、電池監視部１４、車載情報端末１５、通信部１６、充電条件設定管理装置１７を備えている。
【００２６】
電池１１は、車両（電気自動車またはハイブリッド車両）を走行させるための駆動力を発生するモータ（図示せず）の電力源となる二次電池である。充電回路１２は、充電制御部１３から電力を受けて電池１１に充電を行う回路である。
【００２７】
充電制御部１３は、車両の外部から供給された電力を充電回路１２に出力する装置であり、充電開始、終了、出力電力制御等の制御を行う。
【００２８】
電池監視部１４は、電池１１の状態に関する量として、電池残量（ＳＯＣ）および充電効率情報（温度、使用開始からの経過日数等）を検出し、検出結果を充電条件設定管理装置１７に出力する。
【００２９】
車載情報端末１５は、車両内の乗員（ドライバー等）が直接操作可能な操作部と、車両の車室内の乗員に文字および画像で情報を表示するための表示部とを備えている。
【００３０】
通信部１６は、充電器２と車両が接続ケーブル２０で接続されたとき、接続ケーブル２０内の通信線２０ｂを介して充電器２と通信するためのインターフェース回路（例えば、シリアル通信回路）である。
【００３１】
充電条件設定管理装置１７は、充電器２から電池１１への充電条件設定を管理する装置である。この充電条件設定管理装置１７は、プラグインセンシング部１７ａ、充電条件設定記憶部１７ｂ、および制御部１７ｃを有している。
【００３２】
プラグインセンシング部１７ａは、接続ケーブル２０を介して充電器２に車両が接続されたことを検出する回路である。本実施形態では、通信部１６は、定期的（例えば、１秒毎）にポーリング信号を送信しており、通信部１６が通信線２０ｂを介して充電器２と通信可能となり、通信部２１の車両側通信部がそのポーリング信号に対する応答を送信し、通信部１６がその応答を受信したことに基づいて、接続ケーブル２０を介して充電器２に車両が接続されたことを検出するようになっている。
【００３３】
充電条件設定記憶部１７ｂは、不揮発性記憶媒体、ＲＡＭ等の記憶媒体であり、ユーザが入力した充電条件設定が記録されるようになっている。
【００３４】
制御部１７ｃは、ＣＰＵ、ＲＡＭ、ＲＯＭ等を備えたマイクロコンピュータであり、ＣＰＵがＲＯＭに記録されたプログラムを実行し、ＲＡＭを作業領域として使用することで、後述する処理を実行し、その際、通信部１６を用いて充電器２と通信するようになっている。以下、ＣＰＵの作動を制御部１７ｃの作動と同一視して説明する。
【００３５】
次に、充電器２の詳細な構成について説明する。充電器２は、通信部２１、表示・操作部２２、電力供給情報記憶制御部２３、充電スケジューリング部２４、記憶部２５（例えば、不揮発性記憶媒体）、供給電力制御部２６等を有している。
【００３６】
通信部２１は、車載システム１と通信するための車両用通信部と、サーバ３と通信するためのサーバ用通信部（例えば、インターネット用の通信インターフェース）を有している。車両用通信部は、充電器２と車両が接続ケーブル２０で接続されたとき、接続ケーブル２０内の通信線２０ｂを介して車載システム１と（より具体的には、通信部１６を介して制御部１７ｃと）通信するためのインターフェース回路（例えば、シリアル通信回路）である。
【００３７】
表示・操作部２２は、車両から降車した乗員が直接操作可能な操作部と、降車した乗員に文字および画像で情報を表示するための表示部とを備えている。
【００３８】
電力供給情報記憶制御部２３は、通信部２１のサーバ用通信部を用いてサーバ３から受信した、電力の供給可能量と料金の時間推移の情報を記憶部２５に記録する装置である。電力の供給可能量と料金の時間推移の情報は、具体的には、供給電力テーブル２５ａおよびコストテーブル２５ｂである。供給電力テーブル２５ａおよびコストテーブル２５ｂについては後述する。
【００３９】
充電スケジューリング部２４は、通信部２１を介して充電条件設定記憶部１７ｂから受信した充電条件設定と、記憶部２５に記録されている最新の供給電力テーブル２５ａおよびコストテーブル２５ｂに基づいて、電池１１に対する充電のスケジュールを作成し、それをスケジューリングテーブル２５ｃとして記憶部２５に記録する。
【００４０】
供給電力制御部２６は、記憶部２５に記録されたスケジューリングテーブル２５ｃに従ったスケジュールで、電力線２０ａを介して電力供給して電池１１に充電を行う。
【００４１】
これら電力供給情報記憶制御部２３、充電スケジューリング部２４、および供給電力制御部２６は、それぞれが、１つのマイクロコンピュータとして実現されていてもよいし、１つのマイクロコンピュータでこれらの装置２３、２４、２６のすべての機能を実現するようになっていてもよい。
【００４２】
サーバ３は、上述の通信ネットワークを介して複数の充電器（充電器２を含む）と通信可能な機能を備えたパーソナルコンピューまたはワークステーション等の装置であり、当該複数の充電器の１つ１つに対し、その充電器に対する電力の供給可能量と料金の時間推移の情報（具体的には、コストテーブル２５ｂおよびスケジューリングテーブル２５ｃ）を逐次更新して自機の記憶媒体（例えば、磁気記憶媒体）に記録し、それら情報を、当該通信ネットワークを介して定期的に対象の充電器（充電器２を含む）に送信するようになっている。
【００４３】
以下、上記のような構成の車両プラグイン充電システムの作動について説明する。図２に、充電条件設定管理装置１７の制御部１７ｃがプログラムを実行することで実現する処理のフローチャートを示し、図３に、車両側（車載システム１）と充電器２の作動手順を示す。
【００４４】
まず、充電器２の電力供給情報記憶制御部２３は、通信部２１のサーバ用通信部を用いて、繰り返し定期的に（例えば、４時間周期で）、サーバ３から供給電力テーブル２５ａおよびコストテーブル２５ｂを受信し、受信したテーブル２５ａ、２５ｂを記憶部２５に記録する（図３ステップ３１０）。受信の手順は、定期的にサーバ３が自発的に送信する供給電力テーブル２５ａ、コストテーブル２５ｂを受信する方法でもよいし、２３ａが定期的にサーバに供給電力テーブル２５ａ、コストテーブル２５ｂの要求を送信し、サーバ３がその要求に応じてテーブル２５ａ、２５ｂを送信し、電力供給情報記憶制御部２３が受信するようになっていてもよい。
【００４５】
図４に、充電器２を対象とする供給電力テーブル２５ａの一例を示し、図５に、コストテーブル２５ｂの一例を示す。供給電力テーブル２５ａは、図４に例示するように、日時毎に、対象の充電器２から供給可能な最大電力の情報を含んでいる。コストテーブル２５ｂは、図５に例示するように、日時毎に、対象の充電器２から充電したときの単位電力量当たりの料金（車両の乗員に課金される額）の情報を含んでいる。
【００４６】
また、車載システム１は、車両の走行中も駐車中も作動し、制御部１７ｃは、図２の処理において、ステップ１１０で、車両が駐車すると判定するまで待機している。そして、車両が充電器２の設置場所の近くに駐車される（図３ステップ２１０）。すると制御部１７ｃは、ステップ１１０で、例えば、車両の駆動源（モータ、エンジン）がすべて停止し、ドライブポジションがＰ（駐車）の位置に入ったことに基づいて、車両が駐車されたと判定し、ステップ１２０に進む。
【００４７】
ステップ１２０では、電池監視部１４から現在の電池１１の電池残量の情報を取得し、車載情報端末１５を制御して、表示部に当該電池残量を表示させる。これにより、車内の乗員は、現在の電池残量を確認し、どれだけ充電したいかを把握することができる（図３ステップ２２０）。
【００４８】
その後、制御部１７ｃは、充電条件設定の受付を行う。具体的には、車載情報端末１５の表示部に、充電条件設定の入力を促す受付画面を表示させる。図６に、この受付画面の一例を示す。受付画面は、充電完了の目標日時（ターゲットＴｉｍｅ）、充電器２に要求する必要電力量（電力量）、最大コスト、およびコスト優先か時間優先かの選択（充電条件）の入力を促すようになっている。
【００４９】
乗員は、車載情報端末１５の操作部（車内に設置されている）を用いて、これら充電条件設定（すなわち、充電完了の目標日時、必要電力量、最大コスト、およびコスト優先か時間優先かの選択）を入力する（図３ステップ２３０）。すると、制御部１７ｃは、その入力された充電条件設定を取得し、ステップ１４０に進み、当該充電条件設定を表示部に反映させると共に、当該充電条件設定を充電条件設定記憶部１７ｂに記録する（図３ステップ２４０）。なお、この時点では、乗員は車内におり、接続ケーブル２０で車両と充電器２とは接続されていない。ステップ１４０で充電条件設定を記録した後、制御部１７ｃはステップ１５０に進み、接続ケーブル２０を介して充電器２に車両が接続された（すなわち、プラグインされた）ことをプラグインセンシング部１７ａが検出するまで待機する。
【００５０】
その後、乗員は車両を降り（図３ステップ２５０）、接続ケーブル２０で車両と充電器２とを接続（プラグイン）する（図３ステップ２６０）。すると制御部１７ｃは、ステップ１５０でプラグインされたことを検出し、ステップ１６０に進み、必要電力量を修正する。具体的には、充電条件設定記憶部１７ｂに記録された充電条件設定のうち、必要電力量を、電池監視部１４から入力された充電効率情報及び充電条件設定記憶部１７ｂに予め記憶された車両固有の充電効率に基づいて修正する。
【００５１】
つまり、充電効率情報（電池１１の温度、使用日数）の値によっては、充電器２から１５ｋＷｈの電力供給を受けても、１４ｋＷｈ充電できる場合もあれば、１０ｋＷｈしか充電できる場合もある。したがって、制御部１７ｃは、充電効率情報（電池１１の温度、使用日数）の値と充電率（充電器２から受けた電力量に対する実際に電池１１が充電可能な電力量）との対応関係のテーブルを有し、このテーブルに従って、充電効率情報から充電率を決定して、必要充電量を充電率で除算することで、修正後の必要充電量を得る。
【００５２】
続いてステップ１７０では、通信部１６を用いて、充電条件設定（修正後の必要充電量、および、充電条件設定記憶部１７ｂに記録された他の充電条件設定）を、通信線２０ｂを介して充電器２に送信する（図３ステップ２７０）。
【００５３】
充電器２の充電スケジューリング部２４は、通信線２０ｂおよび通信部２１の車両側通信部を介して当該充電条件設定を受信すると、当該車両側通信部および通信線２０ｂを介して受領通知信号（Ａｃｋ）を車載システム１に送信する。制御部１７ｃは、通信部１６を介してこの受領通知信号を受けたことに基づいて、ステップ１８０に進み、充電条件設定記憶部１７ｂに記録してある充電条件設定を消去する（図３ステップ２８０）。このように、充電条件設定を送信して受領通知を受信した直後に充電条件設定を消去することで、今回入力された充電条件設定が次回の充電時に間違って充電器２に通知されることがなくなる。
【００５４】
続いて制御部１７ｃは、ステップ１９０に進み、充電制御部１３に充電開始指令を出力する。これにより、充電制御部１３は、接続ケーブル２０の電力線２０ａを介して充電器２から受ける電力を充電回路１２に出力できる状態になる。
【００５５】
また、充電器２側では、通信部２を介して車載システム１から充電条件設定を受信した充電スケジューリング部２４が、その受けた充電条件設定と、電力の供給可能量の時間推移の情報（記憶部２５に記憶されている最新版に更新された供給電力テーブル２５ａ）と料金の時間推移の情報（記憶部２５に記憶されている最新版に更新されたコストテーブル２５ｂ）に基づいて、車両の電池１１への充電スケジュールを作成し（図３ステップ３３０）、作成したスケジュールをスケジューリングテーブル２５ｃとして記憶部２５に記録する（図３ステップ３４０）。
【００５６】
ここで、受けた充電条件設定、最新の供給電力テーブル２５ａ、最新のコストテーブル２５ｂに基づいてスケジュールを作成する方法について説明する。なお、以下では、充電器２が車載システム１から充電条件設定を受けた日は１２月７日２２時０分であるとする。
【００５７】
まず、第１の例として、車載システム１から受けた充電条件設定が、図６に示したように、目標時刻が１２月８日午前７時０分であり、必要電力量が１１ｋＷｈであり（ここでは、充電率は１であるとする）、最大コストが６０円であり、コスト優先が選択されている場合について説明する。この場合、電力供給情報記憶制御部２３は、コスト優先であるので、電力の料金が所定の料金（ここでは、１ｋＷｈ当たり８円とする）よりも低い時間帯のみを選んで充電を行う充電スケジュールを作成する。したがって、図５のコストテーブル２５ｂに基づいて、１ｋＷｈ当たり５円である２３：００から６：００までの時間帯のみで、必要電力量の１１ｋＷｈを供給しようとする。また、２３：００から６：００までを１時間単位で区間分けし、区間の最後で電力供給量が必要電力量に一致し、かつ、その条件下で最も早く充電が完了するよう、充電スケジュールを作成する。すると、図４の供給電力テーブル２５ａによれば、この時間帯の最大供給電力が２ｋＷであるので、図７に示すように、２３：００分から２４：００までの区間は、１ｋＷの充電を行い、０：００から５：００までは２ｋＷの充電を行うよう、充電スケジュールを作成する。また、図５のコストテーブル２５ｂによれば、このような充電による総料金は５×１１＝５５円なので、充電条件設定中の最大コスト（６０円）を超えない。
【００５８】
充電スケジューリング部２４は、このような図７の充電スケジュールを、時間の区間毎の供給電力を表したスケジューリングテーブル２５ｃとして、記憶部２５に記録する（ステップ３３０）
更に充電スケジューリング部２４は、算出したスケジューリングテーブル２５ｃおよびコストテーブル２５ｂに基づいて、図８に例示するような充電スケジュール概要として、充電完了時刻（充電完了Ｔｉｍｅ）、供給電力量（電力量）、料金（コスト）を、表示・操作部２２の表示部に表示させる。これにより、車両を降りた乗員が、充電スケジュール概要を確認することができる。
【００５９】
次に、第２の例として、車載システム１から受けた充電条件設定が、図９に示すように、目標時刻が１２月８日午前７時０分であり、必要電力量が１６ｋＷｈであり（ここでは、充電率は１であるとする）、最大コストが９０円であり、時間優先が選択されている場合について説明する。この場合、電力供給情報記憶制御部２３は、時間優先であるので、電力の料金が上述の所定の料金よりも高い時間帯も低い時間帯も選んで、充電器２の電力供給能力の範囲内で最も早く（したがって、コスト優先の場合の場合よりも早く）充電が完了するよう、充電スケジュールを作成する。
【００６０】
したがって、図５のコストテーブル２５ｂに関わりなく、図４の供給電力テーブル２５ａに記載された時間毎の最大電力の供給を、図１０に示すように、２２：００から７：００までの９時間をかけて必要電力量の１６ｋＷｈを供給して電池１１に充電を行うよう、充電スケジュールを作成する。また、図５のコストテーブル２５ｂによれば、このような充電による総料金１０×１×２＋５×２×６＝８０円なので、充電条件設定中の最大コスト（９０円）を超えない。
【００６１】
充電スケジューリング部２４は、このような図１０の充電スケジュールを、時間の区間毎の供給電力を表したスケジューリングテーブル２５ｃとして、記憶部２５に記録する（ステップ３３０）
更に充電スケジューリング部２４は、算出したスケジューリングテーブル２５ｃおよびコストテーブル２５ｂに基づいて、図１１に例示するような充電スケジュール概要として、充電完了時刻（充電完了Ｔｉｍｅ）、供給電力量（電力量）、料金（コスト）を、表示・操作部２２の表示部に表示させる。これにより、車両を降りた乗員が、充電スケジュール概要を確認することができる。
【００６２】
次に、第３の例として、車載システム１から受けた充電条件設定が、図１２に示したように、目標時刻が１２月８日午前７時０分であり、必要電力量が１６ｋＷｈであり（ここでは、充電率は１であるとする）、最大コストが７０円であり、コスト優先が選択されている場合について説明する。この場合、電力供給情報記憶制御部２３は、コスト優先であるので、電力の料金が所定の料金（ここでは、１ｋＷｈ当たり８円とする）よりも低い時間帯のみを選んで充電を行う充電スケジュールを作成する。したがって、図５のコストテーブル２５ｂに基づいて、１ｋＷｈ当たり５円である２３：００から６：００までの７時間帯のみで、必要電力量の１６ｋＷｈを供給しようとするが、その時間帯の最大電力は、図４の供給電力テーブル２５ａによれば２ｋWなので、最大でも１４ｋＷｈしか電力供給できない。
【００６３】
この場合、充電スケジューリング部２４は、必要電力量を満たすという条件を外して、目標時刻までに所定の料金以下の時間帯で最大限充電を行うような充電スケジュールを作成する。したがって、図１３に示すように、２３：００分から６：００まで最大の２ｋWを供給して電池１１を充電する充電スケジュールを作成する。図５のコストテーブル２５ｂによれば、このような充電による総料金は７×２×５＝７０円なので、充電条件設定中の最大コスト（７０円）を超えない。
【００６４】
充電スケジューリング部２４は、このような図１３の充電スケジュールを、時間の区間毎の供給電力を表したスケジューリングテーブル２５ｃとして、記憶部２５に記録する（ステップ３３０）
更に充電スケジューリング部２４は、算出したスケジューリングテーブル２５ｃおよびコストテーブル２５ｂに基づいて、図１４に例示するような充電スケジュール概要として、充電完了時刻（充電完了Ｔｉｍｅ）、供給電力量（電力量）、料金（コスト）を、表示・操作部２２の表示部に表示させる。これにより、車両を降りた乗員が、充電スケジュール概要を確認することができる。
【００６５】
なおこの際、充電スケジューリング部２４は、充電条件設定中の必要充電量を満たすことができていない旨の警告報知を表示・操作部２２の表示部に行わせるようになっていてもよい。
【００６６】
また、上記の第１〜第３の例では、作成した充電スケジュールに従った充電による総料金は、充電条件設定中の最大コストを超えていなかったが、もし超えた場合は、実際の料金が充電条件設定の料金を超える旨を警告報知を表示・操作部２２の表示部に行わせるようになっていてもよい。
【００６７】
このように、充電器２の充電スケジューリング部２４は、充電条件設定管理装置１７から受けた充電条件設定に応じて充電スケジュールを作成し、作成した充電スケジュールが充電条件設定の一部または全部を満たさないことに基づいて、車両から降りた乗員に警告報知を行う。
【００６８】
本実施形態では、充電条件設定管理装置１７から充電器２まで充電条件設定が送信されるのは、乗員が車両から降りて接続ケーブル２０で車両と充電器２を接続した後である。したがって、作成した充電スケジュールが充電条件設定の一部または全部を満たさない場合は、上記のように、車内で警告報知を行うよりも、車外の充電器２で報知を行う方が、乗員に伝わり易い。
【００６９】
また、このような警告報知を行った場合、充電スケジューリング部２４は、表示・操作部２２の操作部に対する乗員の入力に基づいて、充電条件設定の変更操作を受け付け、受け付けた変更の操作に従って、充電条件設定管理装置１７から受けた充電条件設定を変更し、変更後の充電条件と、供給電力テーブル２５ａ、コストテーブル２５ｂに基づいて、上述のように充電スケジュールを作成してスケジューリングテーブル２５ｃを記憶部２５に記録するようになっていてもよい。このようになっていることで、乗員は、わざわざ車内に戻ることなく、充電器２によって一部または全部が満たされない充電条件設定を変更することができる。
【００７０】
上記の第１〜第３の例のように充電スケジュールの作成（図３ステップ３２０）、スケジューリングテーブル２５ｃの記録（図３ステップ３３０）、および概要表示（図３ステップ３４０）が行われた後、充電器２の供給電力制御部２６は、記憶部２５から当該スケジューリングテーブル２５ｃを読み出し、読み出したスケジューリングテーブル２５ｃに従って供給電力制御部２６を制御することで、スケジューリングテーブル２５ｃに従った電池１１への充電を、接続ケーブル２０の電力線２０ａを介して行なう（図３ステップ３５０）。この供給電力制御部２６の制御により、供給電力制御部２６は、スケジューリングテーブル２５ｃに従った電力を充電制御部１３に供給する。
【００７１】
また、車載システム１においては、制御部１７ｃから充電開始指令を既に受けている（図２ステップ１９０参照）充電制御部１３が、接続ケーブル２０の電力線２０ａを介して充電器２から受ける電力を充電回路１２に出力する。そして充電回路１２は、充電制御部１３から受けた電力で電池１１に充電を行う（ステップ２９０）。このようにすることで、スケジューリングテーブル２５ｃに従った電池１１の充電が実現する。
【００７２】
以上説明した通り、充電条件設定管理装置１７は接続ケーブル２０を介して充電器２に車両が接続されていないとき、車両内で乗員が入力した充電条件設定を取得して充電条件設定記憶部１７ｂに記録し（ステップ１３０、１４０）、接続ケーブル２０を介して充電器２に車両が接続されたことに基づいて、記録された充電条件設定を、接続ケーブル２０を介して充電器２に送信し（ステップ１６０、１７０）、充電器２は、充電条件設定管理装置１７から受けた充電条件設定に応じた電池１１への充電を、接続ケーブル２０を介して行なう。
【００７３】
このようになっていることで、車両の乗員が充電条件設定を入力すると、その設定は、一旦車両の充電条件設定記憶部１７ｂに保持される。その後、乗員が車両を降り充電器２と車両を接続ケーブル２０で接続すると、保持されている充電条件設定が接続ケーブル２０を介して充電器２に送出される。これにより、充電器２は、この充電条件設定に応じた充電を電池１１に行うことができる。そして、乗員は、車両と充電器２を接続ケーブル２０で接続するために一旦車両を出た後は、充電条件設定を入力するために再び車両に戻る必要がないので、乗員の利便性が向上する。
【００７４】
充電条件設定管理装置１７は、記録された充電条件設定のうち、充電器２に要求する必要電力量を、電池１１の充電効率情報に基づいて修正し（ステップ１６０）、修正後の必要電力量を接続ケーブル２０を介して充電器２に送信する（ステップ１７０）。このようにすることで、電池１１の充電効率に応じて、充電器２に送信する必要電力量を修正することができる。
【００７５】
また、充電器２は、電力の供給可能量と料金の時間推移の情報、および、充電条件設定管理装置１７から受けた充電条件設定に基づいて、車両の電池１１への充電スケジュールを作成し、作成した充電スケジュールに従って充電を行う。このようにすることで、電力の供給可能量と料金の時間推移に応じた柔軟なスケジュールで充電を行うことができる。
【００７６】
また、給電側システムは、接続ケーブル２０が接続される充電器２および充電器２と通信可能なサーバ３とを備え、充電器２は、サーバ３と通信して電力の供給可能量と料金の時間推移の情報を繰り返し受信することで、電力の供給可能量と料金の時間推移の情報を繰り返し更新し、更新された電力の供給可能量と料金の時間推移の情報に基づいて、車両の電池１１への充電スケジュールを作成し、作成した充電スケジュールに従って充電を行う。
【００７７】
このように、接続ケーブル２０が接続される充電器２が、サーバ３から電力の供給可能量と料金の時間推移の情報を取得するようになっていることで、電力供給側が供給可能量と料金の時間推移の情報を更新するために充電器２のある位置まで行く必要がなくなる。
【００７８】
また、充電器２は、電力の供給可能量と料金の時間推移の情報（供給電力テーブル２５ａおよびコストテーブル２５ｂ）、および、充電条件設定管理装置１７から受けたコスト優先か時間優先かの選択に基づいて、コスト優先の場合は、電力の料金が所定の料金よりも低い時間帯を選んで充電を行う充電スケジュールを作成し、時間優先の場合は、電力の料金が当該所定の料金よりも高い時間帯も低い時間帯も選んで、コスト優先の場合の場合よりも早く充電が完了するよう、充電スケジュールを作成する。このように、車両の乗員は、コスト優先か時間優先かの簡単な選択を行うことで、自分の要求に応じた充電を受けることができる。
【００７９】
なお、上記実施形態において、制御部１７ｃが、図２のステップ１３０、１４０を実行することで充電条件設定記録手段の一例として機能し、ステップ１６０、１７０を実行することで充電条件設定送信手段の一例として機能する。なお、制御部１７ｃのステップ１６０の機能は、図１の電力換算部１８として別途実現するようになっていてもよい。
【００８０】
（他の実施形態）
以上、本発明の実施形態について説明したが、本発明の範囲は、上記実施形態のみに限定されるものではなく、本発明の各発明特定事項の機能を実現し得る種々の形態を包含するものである。例えば、以下のような形態も許容される。
【００８１】
（１）乗員が入力するのは、コスト優先か時間優先かの選択のみであってもよい。その場合、制御部１７ｃは、必要電力量を、乗員が入力するのではなく、電池監視部１４から入力された電池残量に基づいて、所定の満充電量から電池残量を減算した結果の量を、必要電力量として充電条件設定記憶部１７ｂに記録するようになっていてもよい。
【００８２】
（２）また、充電条件設定記憶部１７ｂには、充電条件設定のデフォルト値が記録されていてもよい。そして、デフォルト値以外の充電条件設定が充電条件設定記憶部１７ｂに記録されていない場合に限り、図２のステップ１７０でこのデフォルト値が充電器２に送信されるようになっていてもよい。ただしこの場合は、ステップ１８０では、デフォルト値は充電条件設定記憶部１７ｂから消去されない。
【００８３】
（３）また、車載情報端末１５は、必ずしも車内に固定されておらずともよく、例えば、乗員が持ち運べる携帯情報端末であってもよい。その場合、その携帯端末は、車内に持ち込まれたときに、充電条件設定管理装置１７の制御部１７ｃと（例えばＢｌｕｅｔｏｏｔｈ通信で）無線通信可能となっていればよい。
【００８４】
（４）また、充電器２の電力供給情報記憶制御部２３、充電スケジューリング部２４、記憶部２５は、サーバ３が有していてもよい。その場合、充電器２は、充電条件設定管理装置１７から受信した充電条件設定をそのままサーバ３に送信し、サーバ３は、電力供給情報記憶制御部２３、充電スケジューリング部２４、記憶部２５によって、この充電条件設定からスケジューリングテーブル２５ｃを作成し、作成したスケジューリングテーブル２５ｃを充電器２に送信し、充電器２の供給電力制御部２６は、サーバ３から受信したスケジューリングテーブル２５ｃに従って電力供給をするようになっていてもよい。この場合、充電器２の構成がシンプルになる。また、表示・操作部２２とサーバ３の充電スケジューリング部２４は、通信部２１のサーバ用通信部を介した通信で信号をやり取りするようになっていてもよい。
【００８５】
（５）また、上記実施形態において、充電器２から電池１１への充電時（図３ステップ３５０、２９０）に、供給電力制御部２６は、通信部２１の車両側通信部を用いて、通信線２０ｂを介して、スケジューリングテーブル２５ｃを車載システム１に送信するようになっていてもよい。このスケジューリングテーブル２５ｃは、通信部１６を介して制御部１７ｃが受信し、受信したスケジューリングテーブル２５ｃに従って、充電制御部１３を制御し、スケジューリングテーブル２５ｃに従った電力のみ充電回路１２に出力するようにさせてもよい。このように、充電器２から電池１１への給電電力は、充電制御部１３で制御することもできる。
【００８６】
（６）また、上記実施形態では、接続ケーブル内で電力線２０ａと通信線２０ｂが別々に設けられているが、電力線２０ａのみが設けられており、この電力線２０ａを介して制御部１７ｃと充電器２が通信を行うようになっていてもよい。
【００８７】
（７）また、上記の実施形態において、制御部１７ｃ、電力供給情報記憶制御部２３、充電スケジューリング部２４、供給電力制御部２６がプログラムを実行することで実現している各機能は、それらの機能を有するハードウェア（例えば回路構成をプログラムすることが可能なＦＰＧＡ）を用いて実現するようになっていてもよい。
【符号の説明】
【００８８】
１                車載システム
２                充電器
３                サーバ
１１              電池
１４              電池監視部
１５              車載情報端末
１７              充電条件設定管理装置
１７ａ            プラグインセンシング部
１７ｂ            充電条件設定記憶部
１７ｃ            制御部
２０              接続ケーブル
２０ａ            電力線
２０ｂ            通信線
２２              表示・操作部
２３              電力供給情報記憶制御部
２４              充電スケジューリング部
２５              記憶部
２５ａ            供給電力テーブル
２５ｂ            コストテーブル
２５ｃ            スケジューリングテーブル
２６              供給電力制御部
【図１】
0005919637.tif 000002
【図２】
0005919637.tif 000003
【図３】
0005919637.tif 000004
【図４】
0005919637.tif 000005
【図５】
0005919637.tif 000006
【図６】
0005919637.tif 000007
【図７】
0005919637.tif 000008
【図８】
0005919637.tif 000009
【図９】
0005919637.tif 000010
【図１０】
0005919637.tif 000011
【図１１】
0005919637.tif 000012
【図１２】
0005919637.tif 000013
【図１３】
0005919637.tif 000014
【図１４】
0005919637.tif 000015